(57)【特許請求の範囲】
【請求項１】
データネットワークを介してアクセス可能な少なくとも１つの情報源から、前記情報源におけるプレイリスト中のコンテンツであって、この情報源により供給され少なくとも１つの所定の基準を満たすコンテンツを自動的に検索する方法であって、前記コンテンツが情報と前記情報を特徴付けるメタデータとを有し、前記情報源が制御信号の制御下で前記情報源により供給されるコンテンツを変更し、前記方法が、
情報源を選択するステップと、
前記選択された情報源により供給される前記コンテンツの少なくとも一部を受信するステップであって、前記一部が前記メタデータを含む当該受信するステップと、
前記所定の基準に関して前記メタデータを解析するステップと、
前記基準が満たされる場合に、受信された前記情報を処理するステップと、
前記少なくとも１つの所定の基準が満たされない限り、制御信号を生成し、前記情報源における前記プレイリスト中の別のコンテンツを送信するよう要求するために前記情報源に前記制御信号を送信し、前記情報源により供給された前記コンテンツの少なくとも一部を再び受信し、前記一部が前記メタデータを含み、前記所定の基準に関して前記メタデータを解析するステップと、
を有する方法。
【請求項２】
同じ情報源から同じメタデータが繰り返し受信されたという中止基準又は前記少なくとも１つの所定の基準が満たされない限り、前記制御信号の生成及び前記情報源に対する前記制御信号の送信が実行されることを特徴とする、請求項１に記載の方法。
【請求項３】
所定の時間期間内のこの時点で選択されていた前記情報源からのメタデータの受信が失敗したという中止基準又は前記少なくとも１つの所定の基準が満たされない限り、前記制御信号の生成及び前記情報源に対する前記制御信号の送信が実行されることを特徴とする、請求項１に記載の方法。
【請求項４】
前記中止基準が満たされる場合に他の情報源が選択されることを特徴とする、請求項２又は３に記載の方法。
【請求項５】
最後の利用可能な情報源が選択され、前記中止基準が満たされた後に、前記方法が、中止されるか、又は所定の時間期間だけ一時中断され、利用可能な情報源の選択と共に続行されることを特徴とする、請求項４に記載の方法。
【請求項６】
前記情報の処理が、データ担体への前記情報の記録を含むことを特徴とする、請求項１に記載の方法。
【請求項７】
データネットワークを介してアクセス可能な少なくとも１つの情報源から、前記情報源におけるプレイリスト中のコンテンツであって、この情報源により供給され少なくとも１つの所定の基準を満たすコンテンツを自動的に検索する検索装置において、前記コンテンツが情報と前記情報を特徴付けるメタデータとを有し、前記情報源が制御信号の制御下で前記情報源により供給されるコンテンツを変更し、前記検索装置が、情報源に対する接続を選択し、前記選択された情報源から前記情報及びメタデータを受信するように構成された受信手段を有し、前記検索装置が、前記受信されたメタデータを前記少なくとも１つの所定の基準に関して解析し、前記基準が満たされない場合に不満足を表す起動信号を生成及び送出するように構成された解析手段を有し、前記検索装置が、前記受信された情報を処理するように構成された処理手段を有し、前記検索装置が、前記制御信号を生成し、前記情報源における前記プレイリスト中の別のコンテンツを送信するよう要求するために前記情報源に前記制御信号を送信するように構成された制御信号生成手段を有し、前記制御信号生成手段が前記起動信号を用いて前記解析手段により起動されることができるように構成される、検索装置。
【請求項８】
前記解析手段が、同じ情報源から同じメタデータが繰り返し受信されたという中止基準を取り入れるように構成され、この中止基準が満たされる場合に、前記解析手段が前記選択された情報源から受信された前記メタデータの解析を終了するように構成されることを特徴とする、請求項７に記載の検索装置。
【請求項９】
前記解析手段が、所定の時間期間内のこの時点で選択されていた前記情報源からのメタデータの受信が失敗したという中止基準を取り入れるように構成され、この中止基準が満たされる場合に、前記解析手段が、前記期間中に前記選択された情報源から受信されないメタデータの待機を終了するように構成されることを特徴とする、請求項７に記載の検索装置。
【請求項１０】
前記解析手段が、前記中止基準が満たされる場合に、情報源選択信号を生成し、前記情報源選択信号を前記受信手段に送出するように構成され、前記情報源選択信号が存在する場合に、前記受信手段が、前記中止基準が満たされたときに選択されていた前記情報源以外の情報源を選択するように構成されることを特徴とする、請求項８又は９に記載の検索装置。
【請求項１１】
前記検索装置が、最後の利用可能な情報源が選択され前記中止基準が満たされた場合に、前記データネットワークを介してアクセス可能な前記情報源の検索を中止するか、又は所定の時間期間だけ利用可能な情報源に対する検索を一時中断し、再び前記検索を続行するように構成されることを特徴とする、請求項１０に記載の検索装置。
【請求項１２】
前記コンテンツに対する基準の入力及び／又は情報源アドレスの入力用の入力手段が設けられることを特徴とする、請求項７に記載の検索装置。
【請求項１３】
前記処理手段が、表示手段、オーディオ再生手段及び／又は情報を記録する手段に接続されることを特徴とする、請求項７に記載の検索装置。
【請求項１４】
請求項７ないし１３のいずれか一項に記載の検索装置を有する情報を処理する装置。
【発明の詳細な説明】
【技術分野】
【０００１】
本発明は、インターネットのようなネットワークを介してアクセス可能な少なくとも１つの情報源から、この情報源により供給され所定の基準を満たすコンテンツを自動的に検索する方法であって、前記コンテンツが有用な情報、好ましくはオーディオ、ビデオ又はニュースデータのストリーム及び前記有用な情報を特徴付けるメタデータを有し、前記情報源が制御信号の制御の下で前記情報源により供給されるコンテンツを変更する当該方法に関する。
【０００２】
本発明は更に、インターネットのようなネットワークを介してアクセス可能な少なくとも１つの情報源から、この情報源により供給され所定の基準を満たすコンテンツを自動的に検索する検索装置であって、前記コンテンツが有用な情報、好ましくはオーディオ、ビデオ又はニュースデータのストリーム及び前記有用な情報を特徴付けるメタデータを有し、前記情報源が制御信号の制御の下で前記情報源により供給されるコンテンツを変更する当該検索装置に関する。
【背景技術】
【０００３】
ラジオ及びテレビ局が、インターネット上の受信用の“ストリーミングコンテンツ”と称されるものを提供することは既知であり、これは、ダウンロードが依然として行われている間であってもコンテンツが受信装置で処理されることができるラジオ又はテレビ放送である。この“ストリーミングコンテンツ”の内容は、一方では曲、ビデオフィルム又はニュースのような有用な情報、及び他方では前記有用な情報を詳細に特徴付けるメタデータを有する。このようなストリーミングコンテンツが受信されることを可能にするために、ユーザは、インターネット機能を持つラジオ若しくはテレビ受信器、又は一般的に家庭用電子機器、若しくは略してＣＥ機器として知られるものを必要とする。送信が行われる様態に応じて、“インターネットラジオ”と呼ばれるものと“インターネットオーディオ”と呼ばれるものとの間で区別される。インターネットラジオは、受信器により選択されたチャネル（インターネットアドレス）上での全ての受信器に対する所定のコンテンツの送信であり、これは、地上波又は衛星アンテナから放送され所定の周波数の選択によりラジオ受信器により受信されるラジオ放送と比較されることができる。インターネットラジオの場合、全てのユーザは常に同じコンテンツを聞く。これと対照的に、インターネットオーディオの場合、局は常に複数の異なるコンテンツ、例えば聴取者が選択することができる１０の異なる曲を提供する。これらの異なるコンテンツは、一般に再生用のリスト−専門用語で“プレイリスト”と称されるもの−にまとめられ、このプレイリストはコンテンツの送信に対する所定のシーケンスをセットする。したがって、聴取者がインターネットオーディオチャネルを選択する場合、前記聴取者はまず所定のプレイリストからランダムなコンテンツを受信し、前記コンテンツはこの時点の送信に対して決められる。前記チャネルに応じて、前記聴取者は、ちょうど供給されているストリーミングコンテンツの送信の部分を供給されるか、又は前記プレイリストにおいて事前に定められたコンテンツの１つを最初から受信する。一度このコンテンツの全体が送信されると、前記プレイリストに含まれた次のコンテンツが前記チャネル上で送信され、これは、時間がたつと、前記聴取者が前記プレイリストに含まれる全てのコンテンツを受信することを意味する。前記コンテンツは有用な情報及びメタデータを有し、この場合、前記メタデータは、前記ストリーミングコンテンツの１つまたは複数の固定されていない点に埋め込まれることができる。前記メタデータは、例えば曲の作曲者若しくは演奏者の詳細、又は曲が属するジャンルを含み、前記有用な情報を構成する項目のタイトル及び長さ等の詳細をも含む。提供されているコンテンツがユーザに気に入られないという理由で前記ユーザが前記チャネルから出るのを止めるために、前記局が一般に公表するものは、この時点で送信されているコンテンツのメタデータであるが、前記プレイリスト全体のものではない。したがって、前記受信器を介する前記局との相互作用無しで、前記ユーザは、前記プレイリスト内で定められたシーケンスで次々にコンテンツを受信する。しかしながら、このようなラジオ又はテレビ局は、前記ＣＥ機器により生成された制御信号がインターネット上で受信されることができる受信手段をも有し、利用することができ、この場合、前記プレイリストの次のコンテンツは、前記制御信号を用いて前記局により、前記制御信号を生成した前記ＣＥ機器に対する送信を可能にされる。
【０００４】
これまでに知られているストリーミングコンテンツに対するインターネット受信器（ＣＥ機器）において、１つのチャネルから次のチャネルに変更が行われる（同調する）ことを可能にし、所定のチャネルから受信されたメタデータが特定の基準を満たすかどうか、即ち受信された有用な情報が特定の所望のコンテンツに対応するかどうかを確認する検索モードが設けられる。
【０００５】
しかしながら、プレイリスト下のコンテンツを供給するラジオ及びテレビ局の場合、この検索モードは、前記プレイリストの下でこの時点で供給されているコンテンツのメタデータのみが確認されることができ、前記プレイリストの他のコンテンツが対象とされない点で失敗する。現時点で、この問題を克服する唯一の方法は、所望のコンテンツが偶然に表れるまで所定のチャネルに留まることであり、これは明らかに実際的ではない。
【０００６】
しかしながら、前記ユーザにより押される“次（Next）”ボタンを持つＣＥ機器も存在し、これを用いて、この時点で利用可能なコンテンツが前記ユーザにとって好ましくない場合に、プレイリストが存在する場合に選択された前記チャネル上の１つのコンテンツから次のコンテンツへの移動を生じさせるために、制御信号が前記送信局に対して生成されることができる。しかしながら、これは、前記送信局にプレイリストが存在する場合に、所望のコンテンツに到達するために又は前記チャネルが前記所望のコンテンツを提供していないことを確立するためには、前記ユーザによる手動の相互作用が必要とされるという不利点を含む。この手動の検索は、前記ユーザにとって複雑であり、退屈である。
【発明の開示】
【発明が解決しようとする課題】
【０００７】
本発明の目的は、上で特定された不利点が回避される、ネットワークを介してアクセス可能な情報源を自動的に検索する第１段落において特定されたような方法、及び第２段落において特定されたような検索装置を提供することである。
【課題を解決するための手段】
【０００８】
上述の目的が達成されることを可能にするために、本発明による方法が以下に特定された様態を特徴とすることができるように本発明によるフィーチャが本発明に備えられる。
【０００９】
データネットワークを介してアクセス可能な少なくとも１つの情報源からこの情報源により供給され少なくとも１つの所定の基準を満たすコンテンツを自動的に検索する方法であって、前記コンテンツが有用な情報及び前記有用な情報を特徴付けるメタデータを有し、前記情報源が制御信号の制御下で前記情報源により供給されるコンテンツを変更し、前記方法が、
情報源を選択するステップと、
前記選択された情報源により供給される前記コンテンツの少なくとも一部を受信するステップであって、前記一部が前記メタデータを含む当該受信するステップと、
前記所定の基準に関して前記メタデータを解析するステップと、
前記基準が満たされる場合に、受信された前記有用な情報を処理するステップと、
前記少なくとも１つの所定の基準が満たされない限り、制御信号を生成し、前記情報源により供給される前記コンテンツを変更するために前記情報源に前記制御信号を送信し、前記選択された情報源により供給された前記コンテンツの少なくとも一部を受信し、前記一部が前記メタデータを含み、前記所定の基準に関して前記メタデータを解析するステップと、
を有する方法。
【００１０】
上述の目的が達成されることを可能にするために、本発明による検索装置が下で特定される様態を特徴とすることができるように本発明によるフィーチャが本発明による検索装置に備えられる。
【００１１】
データネットワークを介してアクセス可能な少なくとも１つの情報源からこの情報源により供給され少なくとも１つの所定の基準を満たすコンテンツを自動的に検索する検索装置であって、前記コンテンツが有用な情報及び前記有用な情報を特徴付けるメタデータを有し、前記情報源が制御信号の制御下で前記情報源により供給されるコンテンツを変更し、前記検索装置が、情報源に対する接続を選択し、前記選択された情報源から有用な情報及びメタデータを受信するように構成された受信手段を有し、前記検索装置が、前記少なくとも１つの所定の基準に関して受信されたメタデータを解析し、前記基準が満たされない場合に不満足を表す起動信号を生成及び送出するように構成された解析手段を有し、前記検索装置が、受信された前記有用な情報を処理するように構成された処理手段を有し、前記検索装置が、前記制御信号を生成し、前記情報源により供給される前記コンテンツを変更するために前記情報源に前記制御信号を送信するように構成された制御信号生成手段を有し、前記制御信号生成手段が前記起動信号を用いて前記解析手段により起動されることができるように構成される検索装置。
【００１２】
本発明による前記フィーチャにより達成されるのは、ラジオ及びテレビ局からプレイリストを有する所望の内部チャネルが、自動的に、即ちバックグラウンドで目立たずユーザに迷惑でない様態で、例えば所定の曲、ジャンル又は演奏者のような前記ユーザにより決められた基準を満たすコンテンツについて検索されることができることである。前記ユーザは、この場合には受信器との手動の相互作用を実行する必要が無い。例えば、前記ユーザによる相互作用、又は電子番組ガイド（ＥＰＧ）によるこのようなプレイリストの供給をもう一度必要とする、データベースからダウンロードされることができる可能なプレイリストのコンピュータ上の表示から既知であるような追加のデータ処理ステップが行われる必要も無い。
【００１３】
請求項２及び請求項８の規定の下で、情報源が同じコンテンツを提供する限り、前記情報源が一回より多く検索される必要が無いという利点が得られる。
【００１４】
請求項３及び請求項９の規定の下で、ちょうど選択されたチャネルがメタデータを提供しない又は認識されない形式のメタデータを提供する場合でさえも前記方法の失敗が回避されることができるという利点が得られる。
【００１５】
請求項４及び請求項１０の規定の下で、複数の情報源が自動的に検索されるという利点が得られる。
【００１６】
請求項５及び請求項１１の規定の下で、前記データネットワーク上の不必要なデータトラフィックが回避されるという利点が得られる。ラジオ及びテレビ局は一般にかなり長い間隔で例えば毎時にプレイリストを変更し、これは、このような情報源をより短い間隔で検索することが、いずれにしろ既に知られている結果を生成するだけであることを意味する。
【００１７】
請求項６の規定の下で、前記有用な情報が何も前記ユーザにより行われる必要なくデータ担体に記憶されることができるという利点が得られる。例えばこの場合には、関連したメタデータが依然として解析されている間に前記有用な情報が初めから記憶されるか、又は前記メタデータの到着が待たれるという規定が設けられる。前記メタデータが解析されるときに前記有用な情報が前記所定の基準を満たさないことがわかった場合には、前記有用な情報の既に記録された一部が捨てられる。
【００１８】
請求項８の規定の下で、前記コンテンツが満たすべき基準、及び／又は選択されるべき情報源がいつでも変更されることができるという利点が得られる。
【００１９】
本発明のこれら及び他の態様は、後に記載される実施例を参照して説明され明らかになるが、しかしながら本発明は前記実施例に制限されない。
【発明を実施するための最良の形態】
【００２０】
図１は、ブロック回路図の形式で、オーディオデータストリームを受信するインターネット機能を持つ本発明による受信器（ＣＥ機器）及び本発明による検索装置１を示す。検索装置１は、インターネットのようなデータネットワーク６に接続する受信手段５を有する。データネットワーク６には、２つの情報源２及び３も接続されており、情報源の数は要望どおりであってもよいことは述べられるべきである。情報源２及び３は、インターネットオーディオサーバの形式である。情報源２及び３がインターネットラジオ若しくはテレビ局又はニュースサーバの形式であっても良いことは述べられるべきである。したがって、前記受信器及び検索装置１がビデオ、オーディオ／ビデオ又はニュースデータストリームを処理するように構成されることもできることは述べられるべきである。
【００２１】
前記情報源のそれぞれは、プレイリストの形式にまとめられた複数のコンテンツ４Ａ、４Ｂ及び４Ｃ又は４Ｄ、４Ｅ及び４Ｆを有する。これが意味するのは、特定の情報源２又は３が、個々のコンテンツの間の矢印により示されるように、その時点で供給されるコンテンツを周期的に連続して変更することである。コンテンツ４Ａないし４Ｆは、それぞれオーディオデータストリームの形式で送出されることができる有用な情報ＮＩ及び有用な情報ＮＩに対応し、特徴付けるメタデータＺＩを有する。データネットワーク６が例えばインターネットである場合に、検索装置１は、インターネットアドレス、即ち特定の情報源２又は３の対応するＵＲＬを選択することにより検索装置１自体を前記情報源に接続することができる。適切なインターネットアドレスの選択は、チャネル選択とも称される。データネットワーク６がインターネット以外のネットワークであってもよく、この場合、データネットワーク６の特定の性質に対して照合されたアドレシングが使用されることは述べられるべきである。検索装置１が情報源２及び３の一方に接続されるとすぐに、検索装置１は受信手段５を介して選択された情報源２又は３が現在供給しているコンテンツ４Ａないし４Ｆを受信し、前記コンテンツは、特定の有用な情報ＮＩ及び対応するメタデータＺＩを有するストリーミングコンテンツとして送信される。
【００２２】
受信手段５により受信されたメタデータＺＩは、解析手段７にフィードされ、ここで基準記憶手段８に記憶された所定の基準にしたがって解析される。
【００２３】
メタデータＺＩが前記基準を満たす場合、受信された有用な情報ＮＩは、オーディオ再生手段１１を用いて有用な情報ＮＩが再生されることを可能にするために有用な情報ＮＩを適切なデータ形式に変換する処理手段９に送られる。表示手段１０及び／又は前記有用な情報を記録する手段１２が設けられてもよく、この場合に後者の手段がデータ担体として、例えばハードディスク及びＣＤ−ＲＷ等のような記憶媒体（図示されない）を含む又は受けることができることは述べられるべきである。これは、前記有用な情報の処理がこのようなデータ担体へのこの情報の記録を含むことを意味する。
【００２４】
メタデータＺＩが前記基準を満たさない場合、解析手段７は、不満足を表す起動信号ＮＥを生成及び送出するように構成され、前記起動信号を用いて、制御信号ＣＴＲＬを生成しデータネットワーク６を介して特定の情報源２又は３に送る制御信号生成手段１４が起動される。制御信号ＣＴＲＬを受信すると、特定の情報源２又は３は、検索手段１の受信手段５により受信されるストリーミングコンテンツとしてプレイリストで予定された次のコンテンツを供給する。
【００２５】
解析手段７は、検索装置１により選択されることができる情報源２又は３のアドレスが記憶される記憶手段１３にも接続される。前記アドレスは、この場合、インターネットアドレス又はＵＲＬ等として定められてもよい。所定の情報源２又は３のコンテンツのいずれも前記所定の基準を満たさない場合、解析手段７は、記憶手段１３から他の情報源２又は３のアドレスを取り出し、前記アドレスを受信手段５及び制御信号生成手段１４に搬送し、この新しい情報源２又は３に接続するように命令する。
【００２６】
この場合にはキーボードの形式であるが、マウス又はタッチスクリーンの形式をとってもよい入力手段１５を用いて、基準メモリ８内の基準及びメモリ１３内の情報源２又は３のアドレスは、ユーザにより変更、追加又は削除されることができる。
【００２７】
解析手段７は更に、同じ情報源２又は３からの同じメタデータＺＩの繰り返された受信として定められた中止基準を取り入れるように構成され、この中止基準が満たされた場合に、解析手段７は、選択された情報源２又は３から受信されたメタデータＺＩの解析を終了するように構成される。
【００２８】
解析手段７は更に、所定の時間期間内又はタイムアウト時のこの時点で選択されていた情報源２又は３からのメタデータＺＩの受信の失敗として定められた中止基準を取り入れるように構成され、この中止基準が満たされる場合に、解析手段７は、前記期間中に選択された情報源２又は３から受信されないメタデータＺＩに対する待機を終了するように構成される。
【００２９】
解析手段７は更に、前記中止基準が満たされる場合に情報源選択信号ＳＳを生成し、情報源選択信号ＳＳを受信手段５に送出するように構成される。情報源選択信号ＳＳが存在する場合、受信手段５は、前記基準が満たされたときに選択されていた情報源２又は３以外の情報源３又は２を選択するように構成される。
【００３０】
検索装置１は、最後の利用可能な情報源３又は２が選択され、前記中止基準が満たされた後に、データネットワーク６を介してアクセス可能な情報源２及び３の検索を中止するか、又は所定の時間期間だけ利用可能な情報源２又は３に対する検索を一時中断し、そして再び続行するように構成されるようにも規定される。
【００３１】
ここで図２が参照され、フローチャートの形式で、データネットワーク６を介してアクセス可能な情報源２及び３から前記情報源により供給され所定の基準を満たすコンテンツを自動的に検索する検索装置１で実行されることができる方法が示される。例として、当該コンテンツは、それぞれのプレイリストの形式でインターネットオーディオサーバの形式である情報源２及び３により供給される複数の曲であると仮定される。
【００３２】
ステップ１０１において、ユーザはまず入力手段１５を用いて所望の曲に対する基準を入力する。これらが既に利用可能ではない又は検索装置１により自動的に見つけられることができない場合、前記ユーザは、前記所望の曲が検索されるべき情報源２及び３のアドレス、即ちＵＲＬをも入力する。
【００３３】
ステップ１０２において、情報源２及び３の一方が選択され、前記検索装置１は、これ自体を情報源２に接続し、情報源２から曲の形式で有用な情報ＮＩを受信し、ステップ１０３において、前記曲を詳細に記載するメタデータＺＩを受信する。
【００３４】
ステップ１０４において、受信されたメタデータが前記ユーザにより特定された基準に照合するかどうかを見るために解析が実行される。照合する場合に、前記曲は処理され、即ちステップ１０５において再生される。前記曲がステップ１０５において処理された後にタイムアウトがオプションとして設けられ、前記タイムアウトの終了後（ステップ１１１）に、前記基準を満たす他の曲を見つけるために、前記方法がステップ１０２から繰り返される。
【００３５】
ステップ１０４における解析が前記基準と前記メタデータとの間の対応を見つけるのに失敗した場合、ステップ１０６において、解析手段７は、起動信号ＮＥを用いて制御信号生成手段１４を起動し、制御信号ＣＴＲＬを生成し、情報源２に制御信号ＣＴＲＬを送信する。情報源２が制御信号ＣＴＲＬに応答するように構成される場合、情報源２は、次の曲及び対応するメタデータを検索装置１に送信する。
【００３６】
切断、即ち失敗から前記方法の前進を停止するために、情報源２がコンテンツを供給しない場合に、オプションとして、タイムアウトの終了が監視されるように規定されることができる（ステップ１０６Ａ）。セットされた時間内に選択された情報源２から情報が届かない場合に、前記方法はステップ１０８に続行される。新しい情報源３がステップ１０８において選択される。したがって、情報源２からのメタデータＺＩの受信の失敗は、中止に対する基準を形成し、前記中止基準が満たされる場合に他の情報源３が選択される。
【００３７】
セットされたタイムアウトが終了する前に、検索装置１が、次の曲及び埋め込まれたメタデータを受信する場合、ステップ１０７において、関与している曲がこの情報源２により以前に既に送信されたものであるかどうか確認される。換言すると、この情報源２のプレイリストの全ての曲が既に受信されたかどうか確認される。送信された最後の曲が新しい場合には、前記方法はステップ１０３に続行される。情報源２のプレイリストの全ての曲が既に送信された場合、前記方法はステップ１０８に続行される。新しい情報源３がステップ１０８において選択される。したがって、同じ情報源２からの同じメタデータＺＩの繰り返された受信は中止に対する基準を形成し、前記中止基準が満たされる場合に他の情報源３が選択される。
【００３８】
ステップ１０９において、ここで選択されている情報源３が以前に既に検索された情報源でないかどうか確認される。既に検索された情報源ではない場合、前記方法はステップ１０３に続行される。しかしながら、既に検索された情報源である場合には、これは、全ての利用可能な情報源が既に検索されたが成功しなかったことを意味し、前記方法は、ステップ１１０において前記検索装置の前記ユーザに対して表示されるメッセージ“見つかりませんでした（Not found）”により−少なくとも再開されるまで一時的に−終了される。
【００３９】
オプションとして、前記方法が終了されないが単に所定の時間長だけ一時中断される（ブロック１１１）ように規定されることもでき、前記所定の時間長の終了時に、前記方法は再びステップ１０２において続行される。情報源２及び３が定期的にプレイリストを変更するので、情報源２及び３のコンテンツは、前記方法が一時中断されていた時間の間に変更されている可能性があり、したがって前記所望のコンテンツがここで利用可能になることが起こり得る。
【図面の簡単な説明】
【００４０】
【図１】本発明による検索装置のブロック回路図である。
【図２】本発明による検索方法によりたどられるコースのフローチャートである。
【図１】
0004824543.tif 000002
【図２】
0004824543.tif 000003